(57)【特許請求の範囲】
【請求項１】
圧力が異なる複数の室と、
低圧側の該室である低圧室を上下方向に分割する複数の孔を有する圧力隔壁と、
該圧力隔壁によって仕切られた前記低圧室の上部に設けられて、冷却水が導入されて前記低圧室に導かれた低圧側蒸気と熱交換することにより該低圧側蒸気を低圧側復水に凝縮する冷却管群と、
前記圧力隔壁によって仕切られた前記低圧室の下部であって、前記圧力隔壁の前記孔から流下する前記低圧側復水が溜まる再熱室と、
高圧側の前記室である高圧室内の高圧側蒸気を前記再熱室に導入する高圧側蒸気導入手段と、
前記圧力隔壁の下方には、該圧力隔壁の前記孔から流下する前記低圧側復水の流下方向に沿って互いに平行に配設される複数の板状部材と、を備え、
前記複数の板状部材は、それぞれ左右に形成される山谷を鉛直方向に沿って複数繰り返した波形形状とされるとともに、互いに隣り合う前記板状部材間は、前記圧力隔壁の前記孔から流下した前記低圧側復水が、両方の該板状部材に接触して液膜を形成する距離に隔てられたことを特徴とする多段圧復水器。
【請求項２】
互いに平行に配設される前記板状部材間の距離が可変であることを特徴とする請求項１に記載の多段圧復水器。
【請求項３】
互いに平行に配設される前記板状部材間の距離は、２ｍｍ〜５ｍｍの間で可変であることを特徴とする請求項２に記載の多段圧復水器。
【請求項４】
前記板状部材は、多孔を備えることを特徴とする請求項１から請求項３のいずれかに記載の多段圧復水器。
【請求項５】
前記板状部材は、該板状部材に沿って流下する前記低圧側復水に向かって開口するポケット部を備えることを特徴とする請求項１から請求項４のいずれかに記載の多段圧復水器。
【請求項６】
前記板状部材の下方には、該板状部材から流下した前記低圧側復水を貯めてオーバーフローさせる受け部材を設けることを特徴とする請求項１から請求項５のいずれかに記載の多段圧復水器。
【請求項７】
前記圧力隔壁は、前記板状部材が設けられる一部が下方に窪んでいることを特徴とする請求項１から請求項６のいずれかに記載の多段圧復水器。
【請求項８】
請求項１から請求項７のいずれかに記載の多段圧復水器を備えたことを特徴とする蒸気タービンプラント。
【発明の詳細な説明】
【技術分野】
【０００１】
本発明は、蒸気タービンプラントに用いられる多段圧復水器に関する。
【背景技術】
【０００２】
一般に、蒸気タービンプラントなどでは、蒸気タービンを駆動した蒸気がタービンから排気されて、復水器に導かれる。復水器に導かれた蒸気は、復水器に導かれた冷却水と熱交換して凝縮されて復水とされる。復水器において凝縮された復水は、加熱器を介して加熱されて、ボイラに供給される。ボイラに供給された加熱された復水は、蒸気とされて蒸気タービンの駆動源として用いられる。
【０００３】
このような蒸気タービンプラントでは、復水器から加熱器に導かれる復水の温度が高いほどプラント効率が向上するためや、復水器における熱交換の際に用いられる冷却水量を抑制するために多段圧復水器が用いられる。
【０００４】
図５には、例えば、高圧および低圧の復水器からなる２段の多段圧復水器の概略構成図が示されている。
高圧および低圧の復水器からなる多段圧復水器１のうち低圧側復水器２は、低圧側胴３の長手方向を上方と下方とに仕切っている多孔８を有している圧力隔壁４と、低圧側胴３の上方側に設けられて冷却水が導かれる低圧側冷却管群５と、低圧側胴３の下方に位置する再熱室６とを主に備えている。
【０００５】
低圧側胴３の上方に導かれた蒸気タービン（図示せず）からの排気（低圧側蒸気）は、低圧側冷却管群５に導かれる冷却水と熱交換することにより凝縮されて低圧側復水となって圧力隔壁４の上方に貯水されて復水だまり７となる。圧力隔壁４には、複数の孔８が設けられているため復水だまり７から低圧側復水が再熱室６へと流下する。
【０００６】
再熱室６には、高圧側復水器２２からの蒸気タービンの排気を低圧側復水器２の再熱室６に導く蒸気ダクト１３が接続されている。そのため、再熱室６に流下した低圧側復水は、蒸気ダクト１３から導かれた高圧側蒸気と気液接触して再加熱される。再加熱される低圧側復水が高圧側蒸気の排気と気液接触する時間が増加するほど再熱効率は向上する。
【０００７】
気液接触時間の増加のために、特許文献１には、図５のように、再熱室６内に多孔８から流下した低圧側復水を貯めてオーバーフローさせるトレイ９を設けることが開示されている。
また、特許文献２には、頂点を上に向けた山形鋼や、螺旋状のエレメントを圧力隔壁から吊下げることが開示されている。
さらに、特許文献３には、低圧側胴の長手方向に延在する円筒形状液膜を圧力隔壁から再熱室内に吊下げることが開示されている。
【先行技術文献】
【特許文献】
【０００８】
【特許文献１】特許第３７０６５７１号公報
【特許文献２】特開２００９−５２８６７号公報
【特許文献３】特開平１１−１７３７６８号公報
【発明の概要】
【発明が解決しようとする課題】
【０００９】
しかし、近年では、特許文献１から特許文献３に開示されている発明よりも更に気液接触時間を増加させて再熱効率を向上させることが望まれている。
【００１０】
また、特許文献１から特許文献３に開示されている発明や図５の場合には、高圧側復水器２２と低圧側復水器２との胴内圧差が大きくなった場合（例えば、５０ｍｍＨｇ）には、低圧側復水器２の復水だまり７の水位が高くなってしまい、圧力隔壁４よりも上方に位置している低圧側冷却管群５が復水だまり７に水没する恐れがある。
【００１１】
そのため、図６に示すように、低圧側復水器２の圧力隔壁４の一部４ａを再熱室６側へと例えば約５０ｃｍ下げて復水だまり７の容積を増加させて、低圧側冷却管群（図示せず）が復水だまり７に水没することを防止する措置が取られている。しかし、このように圧力隔壁４の一部４ａを再熱室６側に下げた場合には、多孔８を有する圧力隔壁４の一部４ａからトレイ９までの距離が短くなり、流下する低圧側復水と高圧側蒸気との気液接触時間が短くなり、再熱効率が低下するという問題があった。
【００１２】
一方、圧力隔壁の一部を再熱室側へ下げることなく低圧側冷却管群を復水だまりから離すように上方に設けた場合には、復水器全体が大型化するという問題があった。
【００１３】
本発明は、上記の事情に鑑みてなされたものであり、大型化することなく、再熱効率を一層向上させることが可能な多段圧復水器およびこれを備えた蒸気タービンプラントを提供することにある。
【課題を解決するための手段】
【００１４】
本発明は、上記の課題を解決するため、下記の手段を採用した。
本発明に係る多段圧復水器は、圧力が異なる複数の室と、低圧側の該室である低圧室を上下方向に分割する複数の孔を有する圧力隔壁と、該圧力隔壁によって仕切られた前記低圧室の上部に設けられて、冷却水が導入されて前記低圧室に導かれた低圧側蒸気と熱交換することにより該低圧側蒸気を低圧側復水に凝縮する冷却管群と、前記圧力隔壁によって仕切られた前記低圧室の下部であって、前記圧力隔壁の前記孔から流下する前記低圧側復水が溜まる再熱室と、高圧側の前記室である高圧室内の高圧側蒸気を前記再熱室に導入する高圧側蒸気導入手段と、前記圧力隔壁の下方には、該圧力隔壁の前記孔から流下する前記低圧側復水の流下方向に沿って互いに平行に配設される複数の板状部材と、を備え、前記複数の板状部材は、それぞれ左右に形成される山谷を鉛直方向に沿って複数繰り返した波形形状とされるとともに、互いに隣り合う前記板状部材間は、前記圧力隔壁の前記孔から流下した前記低圧側復水が、両方の該板状部材に接触して液膜を形成する距離に隔てられたことを特徴とする。
【００１５】
圧力隔壁の孔から流下する低圧側復水は、流下する際に再熱室に導入された高圧側蒸気と気液接触する。この気液接触時間が長いほど、低圧側復水が加熱されることとなる。
【００１６】
そこで、本発明では、圧力隔壁の孔から流下する低圧側復水の流下方向に沿って互いに平行に配設される複数の板状部材を圧力隔壁の下方に設けて、これら各板状部材の低圧側復水の流下方向の断面が少なくとも１つの凹凸形状を形成するようにすることとした。これにより、圧力隔壁の孔から流下する低圧側復水が板状部材に接触する面積を増加させることができる。そのため、再熱室に導入される高圧側蒸気と低圧側復水との気液接触時間を増加させることができる。したがって、多段圧復水器の全体的な大きさを変えることなく、再熱効率を容易に増加させることができる。
【００１７】
また、板状部材を用いることとしたので、製作コストが安価かつ設置が容易となる。したがって、多段圧復水器の製造コスト、製造時間の増加を抑制することができる。
【００１８】
本発明に係る多段圧復水器によれば、互いに平行に配設される前記板状部材間の距離が可変であることを特徴とする。互いに平行に配設される前記板状部材間の距離は、２ｍｍ〜５ｍｍの間で可変である。
【００１９】
板状部材間の距離を可変にすることによって、板状部材間に形成される低圧側復水の流下液膜厚さを調整して流下する低圧側復水を両板状部材に接触させると共に、流下速度を制御することができる。そのため、高圧側蒸気と低圧側復水との気液接触時間および接触面積を増加させることができる。したがって、多段圧復水器の大きさを変えることなく、再熱効率を増加させることができる。
【００２０】
本発明に係る多段圧復水器によれば、前記板状部材は、多孔を備えることを特徴とする。
【００２１】
多孔を備えている板状部材を用いることとした。これにより、板状部材に沿って流下した低圧側復水を分散、微細化することができ、高圧側蒸気も板状部材間を通過することができる。そのため、高圧側蒸気と低圧側復水との気液接触面積を増加させることができる。
また、多孔を備えている板状部材には、既存パンチングメタル材を利用（加工）することで、製造コストも抑えられる。
【００２２】
本発明に係る多段圧復水器によれば、前記板状部材は、該板状部材に沿って流下する前記低圧側復水に向かって開口するポケット部を備えることを特徴とする。
【００２３】
流下する低圧側復水に向かって開口するポケット部を備える板状部材を用いることとした。これにより、板状部材に沿って流下した低圧側復水を一旦ポケット部に溜めることができる。そのため、ポケット部において低圧側復水を攪拌させて流下させることができる。したがって、高圧側蒸気と低圧側復水との接触面積を増加させて再熱効率を増加させることができる。
【００２４】
また、ポケット部を備える板状部材は、既製品として存在する。したがって、多段圧復水器の製造コストの増加を抑制することができる。
【００２５】
本発明に係る多段圧復水器によれば、前記板状部材の下方には、該板状部材から流下した前記低圧側復水を貯めてオーバーフローさせる受け部材を設けることを特徴とする。
【００２６】
板状部材から流下した低圧側復水を貯めてオーバーフローさせる受け部材を板状部材の下方に設けることとした。そのため、受け部材からオーバーフローして流下した低圧側復水が、再熱室に溜められた低圧側復水に循環流を生じさせて、再熱室に導入される高圧側蒸気と広い面積で接触することとなる。したがって、再熱効率を増加させることができる。
【００２７】
本発明に係る多段圧復水器によれば、前記圧力隔壁は、前記板状部材が設けられる一部が下方に窪んでいることを特徴とする。
【００２８】
高圧室と低圧室との圧力差が大きくなった場合には、低圧室の冷却管群によって凝縮されて圧力隔壁の上方に貯まる低圧側復水の水位が上昇して、冷却管群が水没する恐れが生じる。
【００２９】
そこで、圧力隔壁のうち板状部材が設けられる圧力隔壁の一部を下方に窪ませることとした。そのため、冷却管群の下段と圧力隔壁の上方に貯まる低圧側復水の水面との距離を維持しつつ、圧力隔壁の上方の低圧側復水が貯まる容積を増加させることができる。また、下方に圧力隔壁が窪むことによって圧力隔壁と再熱室の底面との距離が短くなるが、圧力隔壁に設けられる板状部材が少なくとも１つの凹凸形状を有するため、気液接触時間を維持することが可能となる。したがって、高圧室と低圧室との圧力差が大きい場合における冷却管群の水没を防止すると共に、多段圧復水器の全体的な大きさを変えることなく再熱効率を維持することができる。
【００３０】
本発明に係る蒸気タービンプラントによれば、上記のいずれかに記載の多段圧復水器を備えたことを特徴とする。
【００３１】
全体的な大きさを変えることなく再熱効率を改善することが可能な多段圧復水器を用いることとした。そのため、蒸気タービンプラントの全体配置や大きさを変えることなくプラント効率を向上させることがきる。
【発明の効果】
【００３２】
上述した本発明の多段圧復水器およびこれを備えた蒸気タービンプラントによれば、圧力隔壁の孔から流下する低圧側復水の流下方向に沿って互いに平行に配設される複数の板状部材を圧力隔壁の下方に設けて、これら各板状部材の低圧側復水の流下方向の断面が少なくとも１つの凹凸形状を形成するようにすることとした。これにより、圧力隔壁の孔から流下する低圧側復水が板状部材と接触する面積を増加させることができる。そのため、再熱室に導入される高圧側蒸気と低圧側復水との気液接触時間を増加させることができる。したがって、多段圧復水器の全体的な大きさを変えることなく、再熱効率を容易に増加させることができる。
【００３３】
また、板状部材を用いることとしたので、製作コストが安価かつ設置が容易となる。したがって、多段圧復水器の製造コスト、製造時間の増加を抑制することができる。
【図面の簡単な説明】
【００３４】
【図１】本発明の第１実施形態に係る多段圧復水器の概略構成図である。
【図２】本発明の第３実施形態に係る多段圧復水器の低圧側復水器の部分拡大概略構成図である。
【図３】本発明の第４実施形態に係る多段圧復水器の低圧側復水器の部分概略構成図である。
【図４】本発明の第５実施形態に係る多段圧復水器の低圧側復水器の波板の斜視図である。
【図５】従来の多段圧復水器の概略構成図である。
【図６】図５に示した多段圧復水器の低圧側復水器の変形例の概略構成図である。
【発明を実施するための形態】
【００３５】
［第１実施形態］
以下、本発明に係る多段圧復水器について図１に基づいて説明する。
図１には、本実施形態に係る多段圧復水器の概略構成図が示されている。
図示の多段圧復水器１を有している蒸気タービンプラント（図示せず）は、蒸気タービン（図示せず）と、多段圧復水器１と、ボイラ（図示せず）とから主に構成されている。
【００３６】
蒸気タービンプラントでは、蒸気タービンで膨張仕事を終えた蒸気が蒸気タービンから多段復水器１へと導入されて、多段復水器１において冷却されることによって凝縮されて復水とされる。多段復水器１において凝縮された復水は、給水加熱器（図示せず）によって加熱された後、ボイラへと供給される。ボイラに供給された復水は、蒸気とされて蒸気タービンの駆動源として用いられる。
【００３７】
多段圧復水器１は、図１に示すように、圧力の異なる複数の室を有し、高圧側の室である高圧側復水器(高圧室)２２と、低圧側の室である低圧側復水器（低圧室）２とを備えている。
【００３８】
高圧側復水器２２は、高圧側の室である高圧側胴２３と、高圧側胴２３内に設けられている高圧側冷却管群２５とを有している。
【００３９】
低圧側復水器２は、低圧側の室である低圧側胴３と、低圧側胴３内に設けられている低圧側冷却管群（冷却管群）５とを有している。
【００４０】
低圧側復水器２は、低圧側復水器２を上下方向に分割し、かつ、複数の孔８を有している圧力隔壁４によって仕切られている。圧力隔壁４の下面と低圧側胴３の底面との距離が、例えば１０００ｍｍとなるように、圧力隔壁４は設けられている。圧力隔壁４によって仕切られている低圧側復水器２の上部には、低圧側冷却管群５が設けられている。また、圧力隔壁４によって仕切られている低圧側復水器２の下部には再熱室６が設けられている。
【００４１】
低圧側復水器２の上部側に設けられている低圧側冷却管群５には、冷却水が導入される。低圧側冷却管群５に導入された冷却水は、低圧側復水器２に導かれた低圧側蒸気を復水（以下、「低圧側復水」という。）に凝縮する。
【００４２】
圧力隔壁４は、多孔板である。圧力隔壁４に設けられている複数の孔８は、流下孔であり、低圧側復水器２の上部側において凝縮された低圧側復水を再熱室６へと流下するものである。
【００４３】
圧力隔壁４の下方（再熱室６側）には、圧力隔壁４に設けられている孔８から流下する低圧側復水の流下方向に沿って配設されている波板（板状部材）１０が設けられている。波板１０は、複数設けられており、互いに平行に配設されている。
【００４４】
波板１０は、図１に示すように、低圧側復水の流下方向の断面が交互に複数（少なくとも１つ）の山谷を形成している凹凸形状（ジグザグ形状）を成している。つまり左右に形成される山谷を鉛直方向に沿って繰り返した形状である。波板１０は、例えばＳＵＳ３０４によって厚さが３ｍｍになるように製造されている。圧力隔壁４の下方に互いに平行に配設されて波板群を形成している各波板１０は、略５ｍｍの間隔を有して配設されており、例えば、１００枚設けられている。
【００４５】
複数設けられている波板１０の下端の下方であり、再熱室６内の下部にはトレイ（受け部材）９が設けられている。トレイ９は、その下面が低圧側胴３の底面から、例えば約２００ｍｍの距離になるように設けられている。トレイ９には、低圧側復水が波板１０から流下するようになっている。トレイ９に流下した低圧側復水は、トレイ９に捕集（貯めて）されてトレイ９からオーバーフローして落下するようになっている。
【００４６】
次に、上記のように構成されている多段圧復水器１により蒸気が凝縮されて復水とされる流れについて図１を用いて説明する。
低圧側復水器２内に設けられている低圧側冷却管群５に冷却水として、例えば、海水が供給される。低圧側冷却管群５に供給された海水は、図示しない連結管から高圧側復水器２２の高圧側冷却管群２５に送出される。高圧側冷却管群２５に送出された海水は、図示しない排出管から排出される。
【００４７】
低圧側復水器２の上部には、蒸気タービンで仕事を終えて排気された低圧側蒸気が導かれる。低圧側復水器２の上部に導かれた低圧側蒸気は、各管内に海水が導かれた低圧側冷却管群５により冷却されることによって凝縮して、例えば約３３℃の低圧側復水とされる。このように凝縮した低圧側復水は、低圧側復水器２の上部（図１において圧力隔壁４の上方）に溜められて復水だまり７を形成する。高圧側復水器２２内と低圧側復水器２内との圧力差が例えば１８ｍｍＨｇの場合には、復水だまり７の水面と低圧側冷却管群５の最下段との距離は、所定の距離である約３０ｃｍとされる。
【００４８】
圧力隔壁４には複数の孔８が設けられているので、復水だまり７に溜まっている低圧側復水は、孔８から流下する。孔８を流下（通過）した低圧側復水は、圧力隔壁４の下方に設けられている複数の波板１０の表面に沿って流下する。
【００４９】
一方、高圧側復水器２２内には、蒸気タービンで仕事を終えて排気された高圧側蒸気が導かれる。高圧側復水器２２内に導かれた高圧側蒸気は、各管内に海水が導かれた高圧側冷却管群２５により冷却されることによって凝縮して復水（以下、「高圧側復水」という。）とされて高圧側復水器２２内に溜められる。
【００５０】
高圧側復水器２２と低圧側復水器２の再熱室６とは、蒸気ダクト（高圧側蒸気導入手段）１１によって接続されているので、高圧側復水器２２内の高圧側蒸気が蒸気ダクト１１から再熱室６に導入されることとなる。
【００５１】
再熱室６に導入された高圧側蒸気は、圧力隔壁４から波板１０の表面に沿って流下する低圧側復水と気液接触する。波板１０の表面に沿って流下した低圧側復水は、波板１０の下端からトレイ９上に捕集される。
【００５２】
トレイ９に捕集された低圧側復水は、トレイ９からオーバーフローして落下する。トレイ９から落下した低圧側復水は、再熱室６内に溜められることとなる。
【００５３】
再熱室６の下部には、図示しない合流部が設けられている。合流部には、連結管１２が高圧側復水器２２の下部との間を接続している。高圧側復水器２２内に溜められた高圧側復水は、連結管１２を経て合流部へと導かれて低圧側復水と合流して復水とされる。合流部において合流した復水は、復水ポンプ（図示せず）によって給水加熱器へと送出される。
【００５５】
本実施形態の多段圧復水器１では、波板１０が複数の凹凸形状を有していることから、圧力隔壁４の複数の孔８から流下する低圧側復水が波板１０の表面を移動（流化）する時間が増加する。そのため、波板１０の表面を流下する低圧側復水と高圧側蒸気とが気液接触する時間が増加する。流下する低圧側復水と高圧側蒸気とが気液接触する時間が増加するため、高圧側蒸気によって加熱される低圧側復水の温度は、波板１０を用いなかった場合に比べて高温となる。
【００５６】
さらに、波板１０からトレイ９に流下した低圧側復水は、トレイ９に捕集されている間に高圧側蒸気と気液接触して更に高温に加熱される。また、トレイ９から落下する低圧側復水は、再熱室６に溜められている低圧側復水に循環流を生じさせる。そのため、低圧側復水の表面と高圧側蒸気とが広い面積で接触して表面乱流熱伝達を起こして復水が加熱される。
【００５７】
このように、波板１０の表面に沿って流下する低圧側復水と高圧側蒸気との気液接触時間の増加と、トレイ９に捕集された低圧側復水と高圧側蒸気との気液接触と、トレイ９からオーバーフローした低圧側復水による高圧側蒸気との表面乱流熱伝達とにより、良好な熱伝達が行われて効率的に昇温された復水とされる。
【００５８】
そのため、低圧側復水が落下する距離、すなわち、圧力隔壁４と低圧側胴３の底面との距離を変えることなく十分に復水を加熱することができる。したがって、多段圧復水器１を大型化することなく、再熱効率を一層向上させることができる。
【００５９】
以上説明したように、本実施形態にかかる多段圧復水器１およびこれを備えている蒸気タービンプラントによれば、以下の作用効果を奏する。
圧力隔壁４の孔８から流下する低圧側復水の流下方向に沿って互いに平行に配設されている１００枚（複数）の波板（板状部材）１０を圧力隔壁４の下方に設けて、これら各波板１０の低圧側復水の流下方向の断面が複数（少なくとも１つ）の凹凸形状を形成するようにすることとした。これにより、圧力隔壁４の孔８から流下する低圧側復水が波板１０と接触する面積を増加させることができる。そのため、再熱室６に導入される高圧側蒸気と低圧側復水との気液接触時間を増加させることができる。したがって、多段圧復水器１の全体的な大きさを変えることなく、再熱効率を容易に増加させることができる。
【００６０】
また、波板１０を用いることとしたので、製作コストが安価かつ設置が容易となる。したがって、多段圧復水器１の製造コスト、製造時間の増加を抑制することができる。
【００６１】
波板１０から流下した低圧側復水を貯めてオーバーフローさせるトレイ（受け部材）９を波板１０の下端の下方に設けることとした。そのため、トレイ９からオーバーフローして流下した低圧側復水が再熱室６に溜められている低圧側復水に循環流を生じさせて、再熱室６に導入される高圧側蒸気と広い面積で接触することとなる。したがって、再熱効率を増加させることができる。
【００６２】
全体的な大きさを変えることなく再熱効率を改善することが可能な多段圧復水器１を用いることとした。そのため、蒸気タービンプラント（図示せず）の全体配置や大きさを変えることなく、プラント効率を向上させることがきる。
【００６３】
なお、本実施形態では、多段圧復水器１として高圧側復水器２２と低圧側復水器２とを有する２段の復水器を用いて説明したが、本発明はこれに限定されるものではなく、例えば高圧側復水器、中圧側復水器、低圧側復水器の３段を有する復水器であってもよい。この場合には、中圧側復水器および低圧側復水器に設けられる圧力隔壁の下方に波板を設置することとなる。
【００６４】
［第２実施形態］
本実施形態の多段圧復水器およびこれを備えている蒸気タービンは、波板間の距離が可変である点で、第１実施形態と相違しその他は同様である。したがって、同一の構成については、同一の符号を付してその説明を省略する。
【００６５】
互いに平行になるように複数設けられている波板（板状部材）間の距離は、調整可能なように設けられている。例えば、波板間の距離を第１実施形態において説明した略５ｍｍから略２ｍｍへと変えることによって、波板間を流下する低圧側復水の流下液膜厚さを調整することができ、低圧側復水の流下速度を遅くすることができる。
【００６６】
波板間の延在方向（低圧側復水の流下方向）の長さを変えることなく波板の表面を流下する低圧側復水の流下速度を遅くすることができるので、多段圧復水器の大きさを変えることなく、低圧側復水と高圧側蒸気との気液接触時間を増加させることができる。
【００６７】
以上説明したように、本実施形態にかかる多段圧復水器およびこれを備えている蒸気タービンプラントによれば、以下の作用効果を奏する。
波板（板状部材）間の距離を可変にすることによって、波板間に形成される低圧側復水の流下液膜厚さを調整できるようになる。なぜなら、流下する低圧側復水を両波板に接触させることができるからである。これにより、流下速度を制御することができる。そのため、高圧側蒸気と低圧側復水との気液接触時間および接触面積を増加させることができる。したがって、多段圧復水器の大きさを変えることなく、再熱効率を増加させることができる。
【００６８】
［第３実施形態］
本実施形態の多段圧復水器およびこれを備えている蒸気タービンは、波板が流下する低圧側復水に向かって開口するポケット部を有する点で、第１実施形態と相違しその他は同様である。したがって、同一の構成については、同一の符号を付してその説明を省略する。
【００６９】
図２には、本実施形態に係る多段圧復水器の低圧側復水器の部分拡大概略構成図が示されている。
波板２０は、低圧側復水の流下方向の断面が交互に複数（少なくとも１つ）の山谷を形成している凹凸形状（ジグザグ形状）を成しており、かつ、図２に示すように、凹凸形状の凸部には、波板２０の表面に沿って流下する低圧側復水に向かって開口しているポケット部２１を有している。
【００７０】
圧力隔壁４に設けられている孔８から波板２０の表面に沿って流下する低圧側復水は、凹凸形状の凸状部に到達する。凸状部には、低圧側復水の流下方向に向かって開口しているポケット部２１が設けられているため、低圧側復水は、ポケット部２１に流入する。
【００７１】
ポケット部２１に溜まった低圧側復水は、ポケット部２１からオーバーブローしてポケット部２１の下方の波板２０の凹状部の表面に沿って流下する。このように、圧力隔壁４に設けられている孔８から流下する低圧側復水は、波板２０の凸状部の表面からポケット部２１へと導かれ、ポケット部２１からオーバーフローして凹状部の表面に沿って流下することを繰り返して、トレイ（受け部材）９に落下する。
【００７２】
波板２０の凸状部の表面からポケット部２１に導かれた低圧側復水は、ポケット部２１に溜められている低圧側復水を攪拌する。そのため、低圧側復水と高圧側蒸気との接触面積が増加する。これにより、良好な熱伝達が行われて波板２０を流下する低圧側復水を効率的に昇温することができる。
【００７３】
以上説明したように、本実施形態にかかる多段圧復水器およびこれを備えている蒸気タービンプラントによれば、以下の作用効果を奏する。
流下する低圧側復水に向かって開口しているポケット部２１を備えている波板（板状部材）２０を用いることとした。これにより、波板２０に沿って流下した低圧側復水を一旦ポケット部２１に溜めることができる。そのため、ポケット部２１において低圧側復水を攪拌させて流下することができる。したがって、高圧側蒸気と低圧側復水との気液接触面積を増加させることができる。
【００７４】
また、ポケット部２１を備えている波板２０は、既製品として存在している。したがって、多段圧復水器（図示せず）の製造コストの増加を抑制することができる。
【００７５】
［第４実施形態］
本実施形態の多段圧復水器およびこれを備えている蒸気タービンは、波板が設けられている圧力隔壁の一部が下方に窪んでいる点で、第１実施形態と相違しその他は同様である。したがって、同一の構成については、同一の符号を付してその説明を省略する。
【００７６】
図３には、本実施形態に係る多段圧復水器の低圧側復水器の部分概略構成図が示されている。
圧力隔壁３４は、波板（板状部材）１０が設けられている一部３４ａが下方に窪んで復水だまり３７を形成している。圧力隔壁３４と低圧側胴（図示せず）の底面との距離が例えば１０００ｍｍとされているうち、圧力隔壁３４の一部３４ａは、例えば、約５００ｍｍ下方に窪むように形成されている。
【００７７】
多段圧復水器（図示せず）を構成している高圧側復水器（高圧室）と低圧側復水器（低圧室）２との圧力差が大きくなった場合（例えば５０ｍｍＨｇになった場合）には、圧力隔壁３４の上方に溜まる低圧側復水の水量が増加する。増量した低圧側復水は、圧力隔壁３４の一部３４ａに溜まって復水だまり３７を形成する。そのため、低圧側冷却管群（冷却管群）の最下段と復水だまり３７の水面との間の距離を所定の距離（約３０ｃｍ）に維持することができる。
【００７８】
これにより、高圧側復水器（図示せず）と低圧側復水器２との圧力差が大きくなって低圧側復水が増量することによって、圧力隔壁３４の上方に溜まった低圧側復水に低圧側冷却管群（図示せず）が水没することを防止することができる。
【００７９】
また、復水だまり３７を形成している圧力隔壁３４の一部３４ａの下方には、複数の波板１０が設けられている。そのため、圧力隔壁３４の一部３４ａが下方に窪むことによって波板１０の延在方向（低圧側復水の流下方向）の流下長さが短くなっても、波板１０を設けなかった場合と比べて低圧側復水と高圧側蒸気との気液接触時間を長くして低圧側復水を昇温することができる。
【００８０】
以上説明したように、本実施形態にかかる多段圧復水器およびこれを備えている蒸気タービンプラントによれば、以下の作用効果を奏する。
圧力隔壁３４のうち下方に波板（板状部材）１０が設けられている圧力隔壁３４の一部３４ａを下方に窪ませることとした。そのため、圧力隔壁３４の上方に貯まる低圧側復水が貯水する復水だまり３７の容積を増加させることができる。また、下方に圧力隔壁３４の一部３４ａが窪むことによって、圧力隔壁３４の一部３４ａと再熱室６の底面との距離が短くなるが、圧力隔壁３４の一部３４ａの下方に設けられている波板１０が複数（少なくとも１つ）の凹凸形状を有するため、気液接触時間を維持することが可能となる。したがって、高圧側復水器（高圧室）と低圧側復水器（低圧室）２との圧力差が大きい場合における低圧側冷却管群（冷却管群）の水没を防止すると共に、多段圧復水器（図示せず）の全体的な大きさを変えることなく再熱効率を維持することができる。
【００８１】
［第５実施形態］
本実施形態の多段圧復水器およびこれを備えている蒸気タービンは、波板に多孔を有する点で、第４実施形態と相違しその他は同様である。したがって、同一の構成については、同一の符号を付してその説明を省略する。
【００８２】
図４には、本実施形態に係る多段圧復水器の低圧側復水器の波板の斜視図が示されている。
波板４０は、低圧側復水の流下方向（図４の白抜きした矢印で示す）の断面が交互に複数（少なくとも１つ）の山谷を形成している凹凸形状（ジグザグ形状）を成しており、かつ、図４に示すように、凹凸形状面に多孔４１を有している。
【００８３】
圧力隔壁３４の一部３４ａ（図３参照）に設けられている孔（図示せず）から波板４０の表面に沿って流下する低圧側復水は、波板４０面に到達する。波板４０面には多孔４１を有し開口しているため、低圧側復水は、波板４０面を流下するものと、多孔４１で分散し、隣接している波板４０面に流入するものとなる。
【００８４】
これを繰り返して低圧側復水は、トレイ（受け部材）９（図３参照）に落下する。
波板４０の多孔４１に流下した低圧側復水は、隣接している波板４０面で、分散されて微細化される。また高圧側蒸気も図４の点線の矢印で示すように、多孔４１を通過する。そのため、低圧側復水と高圧側蒸気との接触面積が増加する。これにより、良好な熱伝達が行われて波板４０を流下する低圧側復水を効率的に昇温することができる。
【００８５】
以上説明したように、本実施形態にかかる多段圧復水器およびこれを備えている蒸気タービンプラントによれば、以下の作用効果を奏する。
流下する低圧側復水に向かって多孔４１を備えている波板（板状部材）４０を用いることとした。これにより、波板４０に沿って流下した低圧側復水を分散、微細化することができ、高圧側蒸気も波板４０間を通過することができる。そのため、高圧側蒸気と低圧側復水との気液接触面積を増加させることができる。
多孔４１を備えている波板４０には、既存パンチングメタル材を利用（加工）することで、製造コストも抑えられる。
【００８６】
なお、本発明は上述した実施形態に限定されることはなく、その要旨を逸脱しない範囲内において適宜変更することができる。
【符号の説明】
【００８７】
１  多段圧復水器
２  低圧側復水器（低圧室）
４  圧力隔壁
５  低圧側冷却管群（冷却管群）
６  再熱室
８  孔
９  トレイ（受け部材）
１０  波板（板状部材）
１１  蒸気ダクト（高圧側蒸気導入手段）
２２  高圧側復水器（高圧室）
４１  多孔
【図１】
0005721471.tif 000002
【図２】
0005721471.tif 000003
【図３】
0005721471.tif 000004
【図４】
0005721471.tif 000005
【図５】
0005721471.tif 000006
【図６】
0005721471.tif 000007